(57)【要約】【課題】乾燥フィルタに関するメンテナンス性の向上を図れる洗濯乾燥機を提供する。【解決手段】洗濯乾燥機１は、水が溜められる外槽３と、外槽３に接続された取出口２０Ｄおよび戻し口２０Ｅを有する循環路２０とを含む。洗濯乾燥機１は、外槽３内の空気を取出口２０Ｄから循環路２０内に取り出して戻し口２０Ｅから外槽３内に戻すことによって循環させる送風部２１と、循環路２０内に設けられて循環路２０内の空気を加熱する加熱部２２とを含む。洗濯乾燥機１は、循環路２０内において加熱部２２よりも取出口２０Ｄ側に配置された乾燥フィルタ４２を含む。乾燥フィルタ４２は、循環路２０内で取出口２０Ｄから戻し口２０Ｅへ向かう空気から異物を捕獲する縦面部４２Ａを有する。洗濯乾燥機１は、縦面部４２Ａに上側Ｚ１から給水する給水部５０と、縦面部４２Ａに沿って移動可能なワイパ６２と、ワイパ６２を移動させるアクチュエータとを含む。【選択図】図１
2020168231.tif 000002
【特許請求の範囲】
【請求項１】
筐体と、
前記筐体によって支持され、水が溜められる外槽と、
前記外槽内に収容され、洗濯物を収容する洗濯槽と、
前記外槽に接続された取出口および戻し口を有する循環路と、
前記外槽内の空気を前記取出口から前記循環路内に取り出して前記戻し口から前記外槽内に戻すことによって循環させる送風部と、
前記循環路内に設けられ、前記循環路内の空気を加熱する加熱部と、
前記循環路内において前記加熱部よりも前記取出口側に配置された乾燥フィルタであって、前記循環路内で前記取出口から前記戻し口へ向かう空気から異物を捕獲する縦面部を有する乾燥フィルタと、
前記縦面部に上側から給水する給水部と、
前記縦面部に沿って移動可能なワイパと、
前記ワイパを移動させるアクチュエータとを含む、洗濯乾燥機。
【請求項２】
前記給水部および前記アクチュエータを制御する制御部をさらに含み、
前記制御部は、メンテナンス処理として、前記アクチュエータによって前記ワイパを前記縦面部の下部まで移動させて前記給水部によって前記縦面部に上側から給水する、請求項１に記載の洗濯乾燥機。
【請求項３】
前記循環路の一部として前記乾燥フィルタを収容するダクトであって、前記縦面部よりも下側に逃がし穴が形成されたダクトと、
前記外槽内の水を排出するための排水路と、
前記逃がし穴と前記排水路とをつなぐ流路とをさらに含む、請求項２に記載の洗濯乾燥機。
【発明の詳細な説明】
【技術分野】
【０００１】
この発明は、洗濯乾燥機に関する。
【背景技術】
【０００２】
下記特許文献１に記載の洗濯乾燥機は、水が溜められる外槽と、外槽内に配置されて洗濯物を収容するドラムと、循環風路とを含む。循環風路は、外槽に接続された空気吸い込み口および空気吐出口と、ブロアおよびヒータを有する送風ユニットとを含む。ブロアが稼働すると、外槽内の空気は、空気吸い込み口から循環風路内に吸い込まれて空気吐出口から外槽内へ流入するように循環する。循環する空気は、循環風路内においてヒータによって加熱される。加熱された空気によって、ドラム内の洗濯物が乾燥する。循環する空気に含まれるリントなどの異物を捕獲する乾燥フィルタが、送風ユニットに配置される。乾燥フィルタは、清掃のために送風ユニットから取り外すことができる。
【先行技術文献】
【特許文献】
【０００３】
【特許文献１】特開２０１１−２４４９８４号公報
【発明の概要】
【発明が解決しようとする課題】
【０００４】
特許文献１に記載の洗濯乾燥機では、使用者が乾燥フィルタを定期的に取り外して掃除する必要があるので、乾燥フィルタのメンテナンスに手間がかかる。特に、現状の洗濯乾燥機では、乾燥工程が終わる度に乾燥フィルタを掃除する必要があることから、乾燥フィルタの取り外し回数が多くなる。乾燥フィルタの取り外し回数が多くなると、乾燥フィルタの取り外しまたは取り付けの際に使用者が乾燥フィルタを壊すおそれが高まる。
【０００５】
この発明は、かかる背景のもとでなされたもので、乾燥フィルタに関するメンテナンス性の向上を図れる洗濯乾燥機を提供することを目的とする。
【課題を解決するための手段】
【０００６】
本発明は、筐体と、前記筐体によって支持され、水が溜められる外槽と、前記外槽内に収容され、洗濯物を収容する洗濯槽と、前記外槽に接続された取出口および戻し口を有する循環路と、前記外槽内の空気を前記取出口から前記循環路内に取り出して前記戻し口から前記外槽内に戻すことによって循環させる送風部と、前記循環路内に設けられ、前記循環路内の空気を加熱する加熱部と、前記循環路内において前記加熱部よりも前記取出口側に配置された乾燥フィルタであって、前記循環路内で前記取出口から前記戻し口へ向かう空気から異物を捕獲する縦面部を有する乾燥フィルタと、前記縦面部に上側から給水する給水部と、前記縦面部に沿って移動可能なワイパと、前記ワイパを移動させるアクチュエータとを含む、洗濯乾燥機である。
【０００７】
また、本発明は、前記洗濯乾燥機が、前記給水部および前記アクチュエータを制御する制御部をさらに含み、前記制御部が、メンテナンス処理として、前記アクチュエータによって前記ワイパを前記縦面部の下部まで移動させて前記給水部によって前記縦面部に上側から給水することを特徴とする。
【０００８】
また、本発明は、前記洗濯乾燥機が、前記循環路の一部として前記乾燥フィルタを収容するダクトであって、前記縦面部よりも下側に逃がし穴が形成されたダクトと、前記外槽内の水を排出するための排水路と、前記逃がし穴と前記排水路とをつなぐ流路とをさらに含むことを特徴とする。
【発明の効果】
【０００９】
本発明によれば、洗濯乾燥機の外槽内の空気は、取出口から循環路内に取り出されて戻し口から外槽内に戻るように循環する。循環する空気は、循環路内で加熱部によって加熱されることによって熱風となり、洗濯槽内の洗濯物を乾燥させる。循環路内において加熱部よりも取出口側に設けられた乾燥フィルタが、循環のために循環路内で取出口から戻し口へ向かう空気に含まれる異物を縦面部において捕獲する。そのため、空気中の異物が加熱部に付着することを抑制できる。
給水部が乾燥フィルタの縦面部に上側から給水すると、捕獲されて縦面部に付着した異物が、縦面部を流れ落ちる水によって縦面部から剥がれされる。縦面部に付着した異物は、縦面部に沿って移動するワイパに拭き取られることによっても縦面部から剥がれされる。縦面部から剥がれされた異物は、例えば循環路内を落下して取出口から外槽内に到達し、外槽の排水時に外槽内から除去される。このように洗濯乾燥機が、水やワイパによる乾燥フィルタの自動お掃除機能を有するので、使用者は、乾燥フィルタを取り外してメンテナンスをしなくてもよい。よって、乾燥フィルタに関するメンテナンス性の向上を図れる。
【００１０】
また、本発明によれば、ワイパが乾燥フィルタの縦面部から異物を拭き取ることにより、異物がワイパに付着することが想定されるが、その場合には、メンテナンス処理として、ワイパが縦面部の下部まで移動した状態で縦面部に上側から給水される。これにより、ワイパに付着した異物を、縦面部を流れ落ちる水によってワイパから除去することができる。そのため、使用者は、乾燥フィルタのメンテナンスだけでなく、ワイパのメンテナンスもせずに済む。よって、メンテナンス性の向上を図れる。
【００１１】
また、本発明によれば、給水部から供給された水と、乾燥フィルタの縦面部から除去された異物とを、外槽を経由させずに、ダクトの逃がし穴および流路から排水路に流すことができる。これにより、外槽に収容された洗濯槽内の洗濯物に水や異物が付着することを防止できる。
【図面の簡単な説明】
【００１２】
【図１】図１は、この発明の一実施形態に係る洗濯乾燥機の模式的な縦断面左側面図である。
【図２】図２は、洗濯乾燥機内に配置された外槽および乾燥ユニットを後側から見た斜視図である。
【図３】図３は、外槽および乾燥ユニットの分解斜視図である。
【図４】図４は、乾燥ユニットを構成するダクトおよびフィルタ部材の斜視図である。
【図５】図５は、ダクト、フィルタ部材およびワイパ機構の斜視図である。
【図６】図６は、ダクト、フィルタ部材およびワイパ機構の背面図である。
【発明を実施するための形態】
【００１３】
以下には、図面を参照して、この発明の実施形態について具体的に説明する。図１は、この発明の一実施形態に係る洗濯乾燥機１の模式的な縦断面左側面図である。図１の紙面に直交する方向を洗濯乾燥機１の左右方向Ｘといい、図１における左右方向を洗濯乾燥機１の前後方向Ｙといい、図１における上下方向を洗濯乾燥機１の上下方向Ｚという。左右方向Ｘのうち、図１の紙面における奥側を右側Ｘ１といい、図１の紙面における手前側を左側Ｘ２という。前後方向Ｙのうち、図１における左側を前側Ｙ１といい、図１における右側を後側Ｙ２という。上下方向Ｚのうち、上側を上側Ｚ１といい、下側を下側Ｚ２という。
【００１４】
洗濯乾燥機１は、いわゆるドラム式の洗濯乾燥機である。洗濯乾燥機１は、筐体２と、筐体２内に配置された外槽３と、外槽３に接続された給水路４および排水路５と、排水路５を通って外槽３から排出される水から異物を捕獲する排水フィルタ６とを含む。洗濯乾燥機１は、外槽３内に収容されて洗濯物Ｌを収容する洗濯槽７と、洗濯槽７を回転させるモータ８と、洗濯槽７内の洗濯物Ｌを乾燥させる乾燥ユニット９とさらに含む。
【００１５】
筐体２は、ボックス状に形成される。筐体２の前面２Ａは、例えば垂直面である。前面２Ａには、筐体２の内外を連通させる開口２Ｂが形成される。前面２Ａには、開口２Ｂを開閉する扉１０が設けられる。
【００１６】
外槽３は、吊り棒（図示せず）を介して、筐体２によって弾性支持される。外槽３は、水平方向Ｈに沿って前後方向Ｙに延びる軸線Ｊを中心とした円筒状の円周壁３Ａと、円周壁３Ａの中空部分を後側Ｙ２から塞いだ円盤状の背面壁３Ｂと、円周壁３Ａの前端縁につながったリング状の正面壁３Ｃとを有する。背面壁３Ｂは、垂直に配置され、外周部３Ｄと、外周部３Ｄよりも後側Ｙ２へ一段突出した中央部３Ｅとを有する。中央部３Ｅの中心には、軸線Ｊに沿って中央部３Ｅを前後方向Ｙに貫通した貫通孔３Ｆが形成される。正面壁３Ｃは、円周壁３Ａの前端縁から軸線Ｊ側へ張り出した円環状の第１部３Ｇと、第１部３Ｇの内周縁から前側Ｙ１へ突出した円筒状の第２部３Ｈと、第２部３Ｈの前端縁から軸線Ｊ側へ張り出した円環状の第３部３Ｉとを有する。第３部３Ｉの内側には、円周壁３Ａの中空部分に前側Ｙ１から連通した出入口３Ｊが形成される。出入口３Ｊは、筐体２の開口２Ｂに対して後側Ｙ２から対向して連通する。
【００１７】
給水路４は、蛇口（図示せず）に接続された一端（図示せず）と、外槽３の背面壁３Ｂにおける例えば中央部３Ｅに接続された他端４Ａとを有する。給水時には、蛇口からの水が給水路４から外槽３内に供給される。外槽３内には、水道水や、水道水に洗剤が溶けた洗剤水などの水が溜められる。給水路４の途中には、給水を開始したり停止したりするために開閉される給水弁１１が設けられる。
【００１８】
排水路５は、外槽３の下端部、例えば正面壁３Ｃの第１部３Ｇの下端部に接続される。外槽３内の水は、排水路５から機外に排出される。排水路５の途中には、排水を開始したり停止したりするために開閉される排水弁１２が設けられる。
【００１９】
排水フィルタ６は、排水路５において排水弁１２よりも外槽３に近い上流部に設けられる。排水フィルタ６の前端は、筐体２の前面２Ａに露出されるので、使用者は、排水フィルタ６の前端を掴んで排水フィルタ６を筐体２に対して着脱させることができる。排水フィルタ６の構成として、公知の構成を用いることができる。
【００２０】
洗濯槽７は、外槽３よりも一回り小さい。洗濯槽７は、外槽３の円周壁３Ａと同軸上に配置された円筒状の円周壁７Ａと、円周壁７Ａの中空部分を後側Ｙ２から塞いだ円盤状の背面壁７Ｂと、円周壁７Ａの前端縁から軸線Ｊ側へ張り出した円環状の環状壁７Ｃとを有する。洗濯槽７において少なくとも円周壁７Ａには、複数の貫通孔７Ｄが形成され、外槽３内の水は、貫通孔７Ｄを介して、外槽３と洗濯槽７との間で行き来する。そのため、外槽３内の水位と洗濯槽７内の水位とは、一致する。洗濯槽７の背面壁７Ｂの中心には、軸線Ｊに沿って後側Ｙ２へ延びる支持軸１３が設けられる。支持軸１３の後端部は、外槽３の背面壁３Ｂの貫通孔３Ｆを通って背面壁３Ｂよりも後側Ｙ２に配置される。
【００２１】
環状壁７Ｃの内側には、円周壁７Ａの中空部分に前側Ｙ１から連通した出入口７Ｅが形成される。出入口７Ｅは、外槽３の出入口３Ｊおよび筐体２の開口２Ｂに対して後側Ｙ２から対向して連通する。出入口３Ｊおよび出入口７Ｅは、開口２Ｂとともに、扉１０によって一括開閉される。洗濯乾燥機１の使用者は、開放された開口２Ｂ、出入口３Ｊおよび出入口７Ｅを介して、洗濯槽７内に洗濯物Ｌを出し入れする。
【００２２】
モータ８は、筐体２内において、外槽３の背面壁３Ｂの後側Ｙ２に配置される。モータ８は、洗濯槽７に設けられた支持軸１３に連結される。モータ８が発生した駆動力は、支持軸１３に伝達され、洗濯槽７が、支持軸１３を伴って軸線Ｊまわりに回転する。なお、モータ８と支持軸１３と間には、モータ８の駆動力を支持軸１３に伝達したり遮断したりするクラッチ機構（図示せず）が設けられてもよい。
【００２３】
乾燥ユニット９は、循環路２０と、送風部２１と、加熱部２２とを含む。循環路２０は、筐体２内において外槽３の上側Ｚ１に配置された流路である。循環路２０は、前後方向Ｙに延びる途中部分２０Ａと、途中部分２０Ａの後端から下側Ｚ２へ延びる後部分２０Ｂと、途中部分２０Ａの前端から下側Ｚ２へ延びる前部分２０Ｃとを有する。後部分２０Ｂの下端部の前端には、取出口２０Ｄが形成される。取出口２０Ｄは、外槽３の背面壁３Ｂの外周部３Ｄにおいて上限水位よりも高い部分に接続され、外槽３内に後側Ｙ２から連通する。前部分２０Ｃの下端には、戻し口２０Ｅが形成される。戻し口２０Ｅは、外槽３の正面壁３Ｃの第２部３Ｈの上端部に接続され、外槽３内に上側Ｚ１から連通する。
【００２４】
送風部２１は、いわゆるブロアであり、循環路２０内において取出口２０Ｄに近い上流側の領域に配置された回転羽根２３と、回転羽根２３を回転させるモータ（図示せず）とを含む。回転羽根２３が回転すると、外槽３内の空気、つまり外槽３内および洗濯槽７内の空気が、太い破線矢印で示すように、取出口２０Ｄから循環路２０内に取り出された後に、戻し口２０Ｅから外槽３内に戻される。これにより、外槽３内の空気は、外槽３と循環路２０とを順に流れるように循環する。
【００２５】
加熱部２２は、ヒートポンプにおける熱交換器または一般的なヒータなどであり、少なくとも一部が、循環路２０内に設けられる。加熱部２２において循環路２０内に設けられた部分は、フィン状の放熱部２２Ａを複数有する。加熱部２２が作動すると放熱部２２Ａが高温になるので、循環路２０内を流れる空気が放熱部２２Ａの周囲を通過する際に加熱されて熱風になる。
【００２６】
洗濯乾燥機１は、マイコンとして構成された制御部２４をさらに含む。制御部２４は、モータ８、給水弁１１、排水弁１２、送風部２１および加熱部２２の動作を制御することによって洗濯乾燥運転を実行する。洗濯乾燥運転は、洗い工程と、すすぎ工程と、脱水工程と、乾燥工程とを含む。
【００２７】
洗い工程の開始に先立って、洗濯槽７内に洗剤が投入される。制御部２４は、洗い工程では、排水弁１２を閉じた状態で、給水弁１１を所定時間開いて外槽３および洗濯槽７に給水してから、モータ８によって洗濯槽７を回転させる。これにより、洗濯槽７内の洗濯物Ｌが、たたき洗いされる。たたき洗いでは、洗濯物Ｌがある程度持ち上げられてから水面に自然落下するというタンブリングが繰り返される。タンブリングによる衝撃や、洗濯槽７に溜まった洗剤水に含まれる洗剤成分によって、洗濯物Ｌから汚れが取り除かれる。タンブリングの開始から所定時間が経過した後に、制御部２４が排水弁１２を開いて排水すると、洗い工程が終了する。
【００２８】
制御部２４は、すすぎ工程では、排水弁１２を閉じた状態で、給水弁１１を所定時間開いて外槽３および洗濯槽７に給水してから、モータ８によって洗濯槽７を回転させる。すると、前述したタンブリングが繰り返されるので、洗濯物Ｌが洗濯槽７内の水道水によってすすがれる。タンブリングの開始から所定時間が経過した後に、制御部２４が排水すると、すすぎ工程が終了する。すすぎ工程は、複数回繰り返されてもよい。制御部２４は、脱水工程では、排水弁１２を開いた状態で、洗濯槽７を脱水回転させる。洗濯槽７の脱水回転により生じた遠心力によって、洗濯槽７内の洗濯物Ｌが脱水される。脱水により洗濯物Ｌから染み出た水は、排水路５から機外に排出される。脱水工程は、すすぎ工程後だけでなく、洗い工程後にも実施されてもよい。
【００２９】
制御部２４は、乾燥工程では、送風部２１および加熱部２２によって熱風を発生させて洗濯槽７と循環路２０との間で循環させ、洗濯槽７内の洗濯物Ｌに供給する。これにより、洗濯物Ｌが乾燥する。洗濯運転ではリントなどの異物が発生して、この異物が乾燥工程中において熱風に乗って流れる。異物が加熱部２２の放熱部２２Ａに付着して蓄積すると、加熱部２２での加熱効率の低下や循環路２０における空気の流れの悪化に伴う性能低下が生じるおそれがあるので、この異物を捕獲する必要がある。そこで、乾燥ユニット９は、フィルタ部材２５と、分岐路２６と、注水弁２７とをさらに含む。
【００３０】
以下では、送風部２１および循環路２０について詳しく説明した後に、フィルタ部材２５、分岐路２６および注水弁２７について説明する。図２は、外槽３および乾燥ユニット９を後側Ｙ２から見た斜視図である。送風部２１は、回転羽根２３を収容した中空円盤状のケーシング２９を含む。ケーシング２９は、循環路２０の一部であり、筐体２に固定される。ケーシング２９の内部空間は、循環路２０内における途中部分２０Ａと後部分２０Ｂとの接続部を構成する。
【００３１】
図３は、外槽３および乾燥ユニット９の分解斜視図である。循環路２０は、後部分２０Ｂのほとんどを占めるダクト３０と、ケーシング２９とダクト３０とをつないだ接続ホース３１とを含む。ダクト３０は、本体３２と、カバー３３（図２参照）とを含む。
【００３２】
本体３２は、外槽３の円周壁３Ａの左上部分に沿って左下側へ下降するように湾曲した湾曲壁３２Ａと、前側Ｙ１へ膨出した略半円の板状であって湾曲壁３２Ａの右端から左側Ｘ２へ延びる天壁３２Ｂとを有する。湾曲壁３２Ａと天壁３２Ｂとの間には、右側Ｘ１へ向かうにつれて上下方向Ｚに狭くなった下流空間３２Ｃが区画される。天壁３２Ｂは、左側Ｘ２へ向かうにつれて下降するように、水平方向Ｈに対して傾斜して延びる。天壁３２Ｂには、上側Ｚ１へ突出した円筒状の上連結部３２Ｄが設けられる。上連結部３２Ｄの内部空間は、下流空間３２Ｃに上側Ｚ１から連通した状態にある。下流空間３２Ｃおよび上連結部３２Ｄの内部空間は、循環路２０の後部分２０Ｂの内部空間の一部を構成する。本体３２は、下流空間３２Ｃを前側Ｙ１および左側Ｘ２から塞ぐように湾曲壁３２Ａおよび天壁３２Ｂの端縁間に架設された側壁３２Ｅを有する。
【００３３】
本体３２は、湾曲壁３２Ａの後端から下側Ｚ２へ延びる第１縦壁３２Ｆと、第１縦壁３２Ｆの下端から後側Ｙ２へ突出した横壁３２Ｇとを有する。第１縦壁３２Ｆの上端は、湾曲壁３２Ａに沿って円弧状に湾曲し、第１縦壁３２Ｆの下端は、左側Ｘ２へ向かうにつれて下降するように水平方向Ｈに対して傾斜しながら直線状に延びる。横壁３２Ｇは、帯状であり、第１縦壁３２Ｆの下端に沿って水平方向Ｈに対して傾斜しながら延びる。側壁３２Ｅの後端部は、下流空間３２Ｃよりも後側Ｙ２に配置され、側壁３２Ｅの後端部の下部分は、第１縦壁３２Ｆおよび横壁３２Ｇのそれぞれの左端に接続される。
【００３４】
本体３２は、側壁３２Ｅの後端部および横壁３２Ｇを縁取った背面視Ｌ字形状の第２縦壁３２Ｈを有する。第２縦壁３２Ｈの下端部には、前述した取出口２０Ｄが単数または複数形成される。この実施形態では、上下方向Ｚに長い長穴状の取出口２０Ｄが、１つ形成され、第２縦壁３２Ｈを前後方向Ｙに貫通する。第２縦壁３２Ｈには、取出口２０Ｄを縁取りつつ前側Ｙ１へ突出した筒状の下連結部３２Ｉが設けられる。外槽３の背面壁３Ｂの外周部３Ｄには、取出口２０Ｄと同形状の貫通孔３Ｋが形成される。下連結部３２Ｉは、貫通孔３Ｋに後側Ｙ２から挿入される。これにより、取出口２０Ｄは、背面壁３Ｂに接続されて外槽３内に連通する。
【００３５】
本体３２は、第１縦壁３２Ｆの右縁、ならびに第２縦壁３２Ｈの左縁、下縁および右縁を連続して縁取りつつ後側Ｙ２へ突出した外壁３２Ｊを有する。外壁３２Ｊは、背面視で略Ｕ字状に形成され、外壁３２Ｊの２つの上端部は、天壁３２Ｂの後端部の左端および右端にそれぞれ接続される。外壁３２Ｊにおいて天壁３２Ｂの右端に接続された上端部には、前側Ｙ１へ窪んだ切欠き３２ＪＡが形成される。外壁３２Ｊの外周面において前寄りの領域には、当該外周面から突出した第１係止部３２ＪＢが複数設けられる。ボルトＢ１（図２参照）が、各第１係止部３２ＪＢに形成された挿通穴に挿通され、外槽３の背面壁３Ｂにおいて対応する位置に設けられたねじ穴３Ｌに組み付けられる。これにより、本体３２を含むダクト３０の全体が外槽３に固定される。本体３２には、側壁３２Ｅの後端部と横壁３２Ｇと天壁３２Ｂと外壁３２Ｊの右部分とによって区画された途中空間３２Ｋが形成される。途中空間３２Ｋは、背面視で略矩形状であり、前後方向Ｙに薄い空間であって、第１縦壁３２Ｆに後側Ｙ２から隣接して、下流空間３２Ｃに後側Ｙ２から連通する。
【００３６】
本体３２は、第２縦壁３２Ｈから後側Ｙ２へ突出した縦仕切り板３２Ｌおよび横仕切り板３２Ｍを有する。縦仕切り板３２Ｌは、途中空間３２Ｋに左側Ｘ２から隣接して配置され、天壁３２Ｂの後端部から下側Ｚ２に延びて、取出口２０Ｄにおける上側Ｚ１の縁につながる。横仕切り板３２Ｍは、途中空間３２Ｋよりも下側Ｚ２かつ取出口２０Ｄよりも上側Ｚ１に配置され、縦仕切り板３２Ｌの途中部と外壁３２Ｊの右部分との間に架設される。横仕切り板３２Ｍは、左側Ｘ２へ向かうにつれて下降するように水平方向Ｈに対して傾斜しながら、天壁３２Ｂおよび横壁３２Ｇと略平行に延びる。横仕切り板３２Ｍの途中部には、横仕切り板３２Ｍを左右方向Ｘにおいて二分するスリット３２Ｐが形成される。スリット３２Ｐ内における第２縦壁３２Ｈの後面部には、ねじ穴３２Ｑが形成される。
【００３７】
本体３２には、縦仕切り板３２Ｌと横仕切り板３２Ｍと天壁３２Ｂと外壁３２Ｊの右部分とによって区画された配置空間３２Ｒが形成される。配置空間３２Ｒは、背面視で略矩形状であり、前後方向Ｙに薄い空間であって、途中空間３２Ｋに後側Ｙ２から連通する。配置空間３２Ｒにおいて横壁３２Ｇよりも上側Ｚ１の部分は、背面視で途中空間３２Ｋの全域に重なる。配置空間３２Ｒには、フィルタ部材２５が配置される。本体３２には、縦仕切り板３２Ｌにおいて横仕切り板３２Ｍよりも下側Ｚ２の部分と、横仕切り板３２Ｍと、外壁３２Ｊの右部分および下部分とによって区画された上流空間３２Ｓが形成される。上流空間３２Ｓは、背面視で下側Ｚ２へ膨出する略半円形状をなす空間であって、横仕切り板３２Ｍを挟んで配置空間３２Ｒの下側Ｚ２に位置し、取出口２０Ｄに後側Ｙ２から連通する。
【００３８】
本体３２には、外壁３２Ｊの左部分と縦仕切り板３２Ｌとによって左右方向Ｘの両側から挟まれて上下方向Ｚに細長く延びる縦空間３２Ｔが形成される。縦空間３２Ｔは、第２縦壁３２Ｈの左端部によって前側Ｙ１から塞がれ、天壁３２Ｂの左端部によって上側Ｚ１から塞がれる。縦空間３２Ｔの下端は、上流空間３２Ｓに左側Ｘ２から連通する。
【００３９】
カバー３３（図２参照）は、背面視において本体３２の外壁３２Ｊおよび天壁３２Ｂとほぼ一致した輪郭を有し、下側Ｚ２へ向かうにつれて幅狭になった板状に形成される。カバー３３には、その外縁から張り出した複数の係止部３３Ａ（図２参照）が設けられる。係止部３３Ａに対応して、本体３２の外壁３２Ｊの外周面において後寄りの領域には、当該外周面から突出した第２係止部３２ＪＣが複数設けられる。ボルト（図示せず）が、各係止部３３Ａに形成された挿通穴に挿通され、対応する第２係止部３２ＪＣの後端面に設けられたねじ穴３２ＪＤに組み付けられる。これにより、カバー３３が本体３２に後側Ｙ２から固定されて、ダクト３０が完成する（図２参照）。
【００４０】
完成したダクト３０では、本体３２の後面側に設けられた配置空間３２Ｒ、上流空間３２Ｓおよび縦空間３２Ｔが、カバー３３によって後側Ｙ２から塞がれる。縦仕切り板３２Ｌの後端がカバー３３の前面部に接触する。そのため、縦仕切り板３２Ｌを挟んで配置された配置空間３２Ｒと縦空間３２Ｔとは、遮断される。横仕切り板３２Ｍの後端とカバー３３の前面部との間には隙間Ｑ（図４参照）があるので、配置空間３２Ｒと上流空間３２Ｓとは、この隙間Ｑを介して連通する。
【００４１】
接続ホース３１は、例えばゴム製の円筒であり、その内部空間は、上側Ｚ１および下側Ｚ２に開放される。接続ホース３１において上端部と下端部との間には、蛇腹部３１Ａが設けられる。接続ホース３１の下端部は、ダクト３０の上連結部３２Ｄに対して外嵌される。接続ホース３１の上端部は、送風部２１のケーシング２９に連結される。接続ホース３１の内部空間は、循環路２０の後部分２０Ｂの内部空間の一部を構成する。洗濯乾燥運転中に外槽３の振動が送風部２１へ伝達されることが、蛇腹部３１Ａの弾性変形によって抑制される。
【００４２】
フィルタ部材２５は、前後方向Ｙに薄い板状に形成される。背面視におけるフィルタ部材２５の全体形状は、左側Ｘ２へ向かうにつれて下降するように水平方向Ｈに対して傾斜した二辺と、上下方向Ｚに沿って略垂直に延びる別の二辺とを有する矩形状、詳しくは平行四辺形状に形成される。
【００４３】
フィルタ部材２５は、フレーム４１と、乾燥フィルタ４２と、給水カバー４３とを含む。フレーム４１は、背面視で略矩形状の輪郭を有する本体部４１Ａと、本体部４１Ａから前側Ｙ１へ突出した左右一対の縦壁４１Ｂと、本体部４１Ａの下端から前側Ｙ１へ突出した底壁４１Ｃとを有し、例えば樹脂製である。本体部４１Ａの上縁および下縁は、左側Ｘ２へ向かうにつれて下降するように水平方向Ｈに対して傾斜する。本体部４１Ａの右縁および左縁は、上下方向Ｚに沿って略垂直に延びる。背面視における本体部４１Ａのほぼ全域には、本体部４１Ａを前後方向Ｙに貫通する開口４１Ｄが設けられる。本体部４１Ａは、開口４１Ｄを縦断する単数または複数の縦リブ４１Ｅを有する。この実施形態では、２つの縦リブ４１Ｅが左右方向Ｘに並んで設けられ、開口４１Ｄは、これらの縦リブ４１Ｅによって、左右方向Ｘに並ぶ３つの小開口４１ＤＡへと均等に区分される。各小開口４１ＤＡは、縦長の長方形状、厳密には、本体部４１Ａの上縁および下縁と平行になった二辺を有する平行四辺形状に形成される。
【００４４】
本体部４１Ａの底壁４１Ｃは、左右の縦壁４１Ｂの下端間に架設され、本体部４１Ａの下縁に沿って、左側Ｘ２へ向かうにつれて下降するように水平方向Ｈに対して傾斜する。左右方向Ｘにおける底壁４１Ｃの中央部には、底壁４１Ｃから下側Ｚ２へ突出した係止部４１ＣＡが設けられる。係止部４１ＣＡには、係止部４１ＣＡを前後方向Ｙに貫通する挿通穴４１ＣＢが形成される。
【００４５】
図４は、ダクト３０およびフィルタ部材２５を後側Ｙ２から見た斜視図である。図４では、ダクト３０のカバー３３の図示が省略される（後述する図５および図６においても同様）。フレーム４１は、本体部４１Ａの上縁から少なくとも後側Ｙ２へ突出した天壁４１Ｆをさらに有する。天壁４１Ｆは、左右方向Ｘに長手の長方形板状であって本体部４１Ａの上縁に沿って左下へ傾斜して配置された本体部４１ＦＡと、本体部４１ＦＡよりも短い矩形板状であって本体４１ＢＡの右端から水平方向Ｈに沿って右側Ｘ１へ延びる延設部４１ＦＢとを有する。本体部４１ＦＡには、同一形状かつ同一寸法の給水口４１Ｇが、複数形成される。この実施形態では、給水口４１Ｇは、１２個設けられる。それぞれの給水口４１Ｇは、縦、つまり上下方向Ｚに直線状に延びて本体部４１ＦＡを貫通する。これらの給水口４１Ｇは、本体部４１Ａの後面４１ＡＢの上端に沿って左右方向Ｘに等間隔で一列に並ぶ。
【００４６】
乾燥フィルタ４２は、本体部４１Ａの各小開口４１ＤＡの全域を覆った状態にある。乾燥フィルタ４２は、各小開口４１ＤＡに応じて３つに分離して設けられるが、この実施形態では、分離した３つの乾燥フィルタ４２を１枚の乾燥フィルタ４２とみなす。この実施形態における乾燥フィルタ４２は、本体部４１Ａに取り付けられたメッシュシートであるが、本体部４１Ａに一体形成された格子であってもよい。また、乾燥フィルタ４２は、この実施形態では金属製だが、本体部４１Ａと同じ樹脂製であってもよい。乾燥フィルタ４２において上下左右に沿って延びる後面部を、縦面部４２Ａという。乾燥フィルタ４２の縦面部４２Ａは、本体部４１Ａの後面４１ＡＢと面一に配置される。フレーム４１の天壁４１Ｆに設けられた複数の給水口４１Ｇは、乾燥フィルタ４２の縦面部４２Ａに沿って横つまり左右方向Ｘに並び、縦面部４２Ａに上側Ｚ１から臨む。
【００４７】
給水カバー４３は、左右方向Ｘに長手で中空の本体部４３Ａと、本体部４３Ａに右側Ｘ１から接続された中空の接続部４３Ｂとを有する。本体部４３Ａの内部空間４３ＡＡと、接続部４３Ｂの内部空間４３ＢＡとは連通した状態にある。接続部４３Ｂには、接続部４３Ｂから突出したパイプ状の管部４３Ｃが設けられる。図４では、後側Ｙ２へ突出した管部４３Ｃが図示されるが、管部４３Ｃは、右側Ｘ１へ突出してもよい（図５参照）。管部４３Ｃの内部空間４３ＣＡは、接続部４３Ｂの内部空間４３ＢＡに連通する。本体部４３Ａの内部空間４３ＡＡと、接続部４３Ｂの内部空間４３ＢＡと、管部４３Ｃの内部空間４３ＣＡとは、一体となって給水カバー４３内の流路４３Ｄを構成する。なお、管部４３Ｃが給水カバー４３の接続部４３Ｂでなく、例えば、フレーム４１の天壁４１Ｆの延設部４１ＦＢに設けられてもよい（図５参照）。
【００４８】
給水カバー４３は、フレーム４１の天壁４１Ｆを上側Ｚ１から覆い、フレーム４１に組み合わされる。このように完成したフィルタ部材２５では、給水カバー４３の本体部４３Ａの内部空間４３ＡＡが天壁４１Ｆの本体部４１ＦＡによって下側Ｚ２から塞がれた状態にあり、給水カバー４３の接続部４３Ｂの内部空間４３ＢＡが天壁４１Ｆの延設部４１ＦＢによって下側Ｚ２から塞がれた状態にある。給水カバー４３内の流路４３Ｄは、天壁４１Ｆに形成された全ての給水口４１Ｇに上側Ｚ１から接続される。天壁４１Ｆと、天壁４１Ｆを上側Ｚ１から覆う給水カバー４３とは、給水部５０を構成する。
【００４９】
図４に示すように、フィルタ部材２５は、ダクト３０の配置空間３２Ｒに後側Ｙ２から嵌め込まれることによって、ダクト３０内に収容される。フィルタ部材２５のフレーム４１の底壁４１Ｃがダクト３０の横仕切り板３２Ｍに載ることによって、フィルタ部材２５が配置空間３２Ｒ内で位置決めされる。底壁４１Ｃの係止部４１ＣＡが横仕切り板３２Ｍのスリット３２Ｐに嵌り、ボルトＢ２が係止部４１ＣＡの挿通穴４１ＣＢを通ってスリット３２Ｐのねじ穴３２Ｑに取り付けられる（図３も参照）。これにより、配置空間３２Ｒ内のフィルタ部材２５は、ダクト３０に固定される。なお、係止部４１ＣＡは、フレーム４１において底壁４１Ｃ以外の位置に設けられてもよい。
【００５０】
ダクト３０に固定されたフィルタ部材２５のフレーム４１では、底壁４１Ｃ、右の縦壁４１Ｂおよび左の縦壁４１Ｂが、ダクト３０の横仕切り板３２Ｍ、外壁３２Ｊおよび縦仕切り板３２Ｌにそれぞれ接触する。また、フィルタ部材２５の給水カバー４３の本体部４３Ａがダクト３０の天壁３２Ｂに接触する。これにより、フィルタ部材２５は、ダクト３０の配置空間３２Ｒのほぼ全域を占め、ダクト３０内において下流空間３２Ｃおよび途中空間３２Ｋと、上流空間３２Ｓとの間に位置する。循環路２０全体で見ると、フィルタ部材２５における乾燥フィルタ４２は、循環路２０内において加熱部２２よりも取出口２０Ｄ側に配置される（図１参照）。フレーム４１の天壁４１Ｆの延設部４１ＦＢおよび給水カバー４３の接続部４３Ｂは、外壁３２Ｊの切欠き３２ＪＡ（図３参照）を通って配置空間３２Ｒよりも右側Ｘ１に配置される。
【００５１】
分岐路２６は、給水路４において給水弁１１よりも蛇口に近い上流部から分岐し、給水カバー４３の管部４３Ｃに接続される。注水弁２７は、分岐路２６に設けられる（図１参照）。注水弁２７は、給水路４から分岐路２６に流れる水を管部４３Ｃに供給したり、その供給を停止したりするために開閉される。注水弁２７の開閉は、制御部２４（図１参照）によって制御される。注水弁２７は、前述した給水部５０に含まれる。
【００５２】
乾燥工程では、前述したように送風部２１および加熱部２２によって熱風が発生して循環する。この熱風は、循環路２０内において取出口２０Ｄから戻し口２０Ｅへ向かい、その途中の後部分２０Ｂでは上昇しながら送風部２１に向かう（図１の太い破線の矢印参照）。後部分２０Ｂを構成するダクト３０内において、熱風は、取出口２０Ｄから上流空間３２Ｓを経て上昇し、フィルタ部材２５の乾燥フィルタ４２を前側Ｙ１へ通過する。そして、この熱風は、途中空間３２Ｋを経由して下流空間３２Ｃに到達し、接続ホース３１の内部を上昇して送風部２１のケーシング２９内に流入する（図２も参照）。
【００５３】
乾燥フィルタ４２の縦面部４２Ａは、循環路２０の上流側を向くように配置されて、循環路２０内の熱風からリントなどの異物Ｔを捕獲する。乾燥工程が進むにつれて、多くの異物Ｔが捕獲されて縦面部４２Ａに溜まっていく。これにより、循環路２０内において乾燥フィルタ４２よりも取出口２０Ｄから下流側に離れて設けられた加熱部２２に異物Ｔが付着することを抑制できる。
【００５４】
制御部２４は、乾燥工程後つまり洗濯乾燥運転終了後に、注水弁２７を開く。なお、給水弁１１が給水路４における分岐路２６の分岐位置よりも蛇口に近い上流側に設けられてもよく、その場合には、制御部２４は、給水弁１１および注水弁２７の両方を開く。蛇口からの水は、給水路４および分岐路２６を経由して、給水カバー４３の管部４３Ｃから流路４３Ｄ内に流入する。
【００５５】
流路４３Ｄ内に流入した水は、流路４３Ｄ内から各給水口４１Ｇに流出して各給水口４１Ｇから下向きに噴射される。各給水口４１Ｇから噴射された水は、太い破線の矢印で示すように、乾燥フィルタ４２の縦面部４２Ａの上端に上側Ｚ１から浴びせられて、縦面部４２Ａを伝って流れ落ちる。縦面部４２Ａに付着した異物Ｔは、縦面部４２Ａを流れ落ちる水によって縦面部４２Ａから剥がされて、そのままダクト３０の上流空間３２Ｓに落下し、取出口２０Ｄに到達する。乾燥フィルタ４２の周辺には、水や異物Ｔが落下する方向に延びる縦リブ４１Ｅが設けられるので、異物Ｔは、縦リブ４１Ｅに引っ掛かることなく円滑に落下する。ダクト３０において上流空間３２Ｓを区画する外壁３２Ｊなどには、取出口２０Ｄへ向けて傾斜したガイド部３０Ａが設けられる。ダクト３０では、ガイド部３０Ａや、本体３２の縦仕切り板３２Ｌの下端部が、異物Ｔや水を取出口２０Ｄへガイドする。取出口２０Ｄに到達した異物Ｔは、取出口２０Ｄから外槽３内に落下し、外槽３内に溜まる。各給水口４１Ｇから縦面部４２Ａに浴びせられた水も、異物Ｔと同様に、ダクト３０から外槽３内に落下し、外槽３内に溜まる。
【００５６】
乾燥フィルタ４２の縦面部４２Ａは、循環路２０を構成する上流空間３２Ｓ内に直接露出される。そのため、給水口４１Ｇから縦面部４２Ａに給水されると、縦面部４２Ａに付着した異物Ｔは、縦面部４２Ａから剥がれた後に速やかに循環路２０内を落下して取出口２０Ｄから外槽３内に到達する。
【００５７】
注水弁２７が開いてから所定時間が経過すると、制御部２４は、注水弁２７を閉じることによって給水部５０への給水を停止して、排水弁１２を開く。なお、注水弁２７の開いた状態において、排水弁１２も常に開かれてもよい。排水弁１２が開くと、外槽３内に溜まった水が、異物Ｔを乗せて排水路５に流れ込む。つまり、異物Ｔは、外槽３の排水時に外槽３内から除去される。排水路５に流れ込んだ異物Ｔは、排水フィルタ６（図１参照）によって捕獲される。排水フィルタ６によって捕獲された異物Ｔは、適当なタイミングにおいて使用者が排水フィルタ６を取り外してメンテナンスする際に除去される。
【００５８】
以上のように、洗濯乾燥機１では、所定のタイミングにおいて、給水部５０が、乾燥フィルタ４２の縦面部４２Ａに上側Ｚ１から給水する。つまり、洗濯乾燥機１が、水による乾燥フィルタ４２の自動お掃除機能を有する。さらに、洗濯乾燥機１は、これから説明するワイパ機構６０による乾燥フィルタ４２の自動お掃除機能も有する。図５は、ダクト３０、フィルタ部材２５およびワイパ機構６０を右後側から見た斜視図である。ワイパ機構６０は、ダクト３０に固定されたステー６１と、ステー６１に取り付けられたワイパ６２およびアクチュエータ６３とを含む。
【００５９】
ステー６１は、板状であり、ダクト３０の本体３２において例えば外壁３２Ｊの右部分に固定され、本体３２から右側Ｘ１へ張り出すように配置される。ステー６１の左端部は、乾燥フィルタ４２の縦面部４２Ａの右端部における下端部に後側Ｙ２から対向して配置される。
【００６０】
ワイパ６２は、直線状の棒であり、前後方向Ｙにおいて乾燥フィルタ４２の縦面部４２Ａとステー６１の左端部との間に配置される。ワイパ６２の前面部には、その長手方向のほぼ全域にわたってブラシ６４が設けられる。ブラシ６４は、ワイパ６２に植え付けられた多数の毛６４Ａによって構成される。ブラシ６４の代わりに、ゴムなどで形成されたブレード（図示せず）がワイパ６２に設けられてもよい。図５に示すワイパ６２は、縦長になった待機位置にある。待機位置にあるワイパ６２は、背面視において、乾燥フィルタ４２の縦面部４２Ａの右端部と重なった状態にあり、ブラシ６４が、縦面部４２Ａの右端部に後側Ｙ２から接触した状態にある。このときのブラシ６４の上下方向Ｚの寸法は、縦面部４２Ａの上下方向Ｚの寸法より少し小さい。待機位置にあるワイパ６２は、背面視において、縦面部４２Ａに重ならないように、縦面部４２Ａの右端部よりも右側Ｘ１に配置されてもよい。いずれにせよ、待機位置にあるワイパ６２は、縦面部４２Ａでの異物Ｔの捕獲を妨げない位置にある。待機位置のワイパ６２において下端部をなす根元部は、前後方向Ｙに延びてステー６１の左端部を貫通した回動軸６５を介して、ステー６１に連結される。ワイパ６２は、回動軸６５を伴って、回動軸６５まわりに回動可能である。
【００６１】
アクチュエータ６３の一例は、電動モータである。アクチュエータ６３の動作は、制御部２４（図１参照）によって制御される。アクチュエータ６３は、ダクト３０の本体３２よりも右側Ｘ１、つまりダクト３０の外に配置されて、ステー６１の右端部に前側Ｙ１から固定される。アクチュエータ６３は、ステー６１の右端部を貫通した出力軸６６を有する。ワイパ機構６０は、ワイパ６２の回動軸６５の後端部に固定された入力ギア６７と、出力軸６６の後端部に固定された出力ギア６８とを含む。入力ギア６７および出力ギア６８は、平歯車であって、直接噛み合ってもよいし、図５に示すように単数または複数の中継ギア６９を介して連結されてもよい。アクチュエータ６３が作動すると、出力軸６６が出力ギア６８を伴って回転し、その回転が中継ギア６９を介して入力ギア６７に伝達されることにより、入力ギア６７は、ワイパ６２および回動軸６５を伴って回動軸６５まわりに回動する。
【００６２】
図６は、ダクト３０の本体３２、フィルタ部材２５およびワイパ機構６０の背面図である。ワイパ６２は、実線で示す待機位置と、２点鎖線で示す拭取位置との間で回動可能である。拭取位置は、ワイパ６２が待機位置から背面視で反時計回りに例えば１２０度回動したときの位置である。拭取位置にあるワイパ６２は、背面視において、乾燥フィルタ４２の縦面部４２Ａの下部と重なる。拭取位置にあるワイパ６２は、乾燥フィルタ４２の縦面部４２Ａよりも下側Ｚ２に配置されてもよい。ワイパ６２は、アクチュエータ６３の駆動力を受けて待機位置と拭取位置との間で回動する際、乾燥フィルタ４２の縦面部４２Ａのほぼ全域をブラシ６４で拭くように縦面部４２Ａに沿って移動する。本体３２とカバー３３とが組み合わさることによってダクト３０が完成した状態において、ワイパ機構６０では、少なくともワイパ６２が、ダクト３０内の配置空間３２Ｒに配置される。
【００６３】
制御部２４は、乾燥工程中に、ワイパ６２を待機位置と拭取位置との間で何度か往復移動させる。そのため、乾燥工程中に乾燥フィルタ４２によって捕獲されて縦面部４２Ａに蓄積した異物Ｔは、縦面部４２Ａに沿って往復移動するワイパ６２に拭き取られることによっても縦面部４２Ａから剥がれされる。縦面部４２Ａから剥がれされた異物Ｔは、前述したように循環路２０内を落下して取出口２０Ｄから外槽３内に到達し、外槽３の排水時に外槽３内から除去される。なお、ワイパ６２のブラシ６４の毛６４Ａが乾燥フィルタ４２の目に引っ掛からないように、毛６４Ａが乾燥フィルタ４２の目よりも太く設定される。
【００６４】
乾燥工程が終了すると、前述したように、制御部２４は、給水部５０によって乾燥フィルタ４２の縦面部４２Ａに上側Ｚ１から給水する。この給水は、例えば１分間継続される。縦面部４２Ａに付着した異物Ｔが、この給水によって縦面部４２Ａから剥がされる。
【００６５】
乾燥工程中にワイパ６２が往復移動して縦面部４２Ａから異物Ｔを拭き取ることにより、異物Ｔがワイパ６２に付着すること、つまりワイパ６２自体が汚れることが想定される。そこで、制御部２４は、ワイパ６２のメンテナンス処理として、乾燥工程終了後において給水部５０による縦面部４２Ａへの給水を継続した状態で、アクチュエータ６３によってワイパ６２を拭取位置まで移動させて、拭取位置で静止させる。ここでのワイパ６２の回動によって、縦面部４２Ａに残った異物Ｔが拭き取られる。そして、給水部５０による給水により、ワイパ６２に付着した異物Ｔを、縦面部４２Ａを流れ落ちる水（図６の太い２点鎖線の矢印を参照）の勢いによってワイパ６２から除去することができる。そのため、使用者は、乾燥フィルタ４２のメンテナンスだけでなく、ワイパ６２のメンテナンスもせずに済む。よって、メンテナンス性の向上を図れる。給水部５０による１分間の給水が終了すると、制御部２４は、ワイパ６２を回動させて待機位置に戻す。これにより、メンテナンス処理が終了する。ワイパ６２が待機位置から拭取位置まで回動して待機位置に戻るまでにかかる時間は、６秒程度である。
【００６６】
このように洗濯乾燥機１が、水やワイパ６２による乾燥フィルタ４２の自動お掃除機能を有するので、使用者は、乾燥フィルタ４２を取り外してメンテナンスをしなくてもよい。よって、乾燥フィルタ４２に関するメンテナンス性の向上を図れる。乾燥フィルタ４２は、取り外し可能でなくてもよいので、着脱式の乾燥フィルタよりも構造の簡素化やコストダウンを図れる。また、着脱式の乾燥フィルタの場合に使用者がメンテナンスを忘れると、前述した性能低下が生じ得るが、自動お掃除機能を有する洗濯乾燥機１では、メンテナンス忘れによる性能低下を回避できる。また、着脱式の乾燥フィルタの場合に必要な配置スペースを別の用途に活用できるので、例えば加熱部２２や回転羽根２３を大型化して性能向上を図れる。
【００６７】
この発明は、以上に説明した実施形態に限定されるものではなく、請求項に記載の範囲内において種々の変更が可能である。
【００６８】
例えば、ワイパ６２を移動させるアクチュエータ６３として、前述した電動モータに限らず、ソレノイドなどを用いてもよい。また、アクチュエータ６３が発生した駆動力をワイパ６２に伝達する機構として、前述した入力ギア６７、出力ギア６８および中継ギア６９を用いたギア伝達機構以外の構成が挙げられる。当該構成の一例として、ワイパ６２の回動軸６５およびアクチュエータ６３の出力軸６６のそれぞれにプーリを取り付けて、これらのプーリをワイヤで連結する。このワイヤは、ワイパ６２の回動軸６５のプーリに例えば半周程度巻き付けられた後に引き出されて、バネなどの付勢部材に連結される。アクチュエータ６３が発生した駆動力がワイヤを介してワイパ６２に伝達されることにより、ワイパ６２が待機位置から拭取位置まで回動する。このときに伸ばされた付勢部材が縮もうとする付勢力によって、ワイパ６２が拭取位置から待機位置まで回動する。
【００６９】
例えば、ワイパ６２は、前述した実施形態では、待機位置と拭取位置との間で回動可能であるが、例えば、同じ姿勢のまま上下方向Ｚまたは左右方向Ｘに直線移動することによって、乾燥フィルタ４２の縦面部４２Ａ上の異物Ｔを拭き取ってもよい。ワイパ６２が上下方向Ｚに直線移動する場合、ワイパ６２は、横長になった姿勢をとり、待機位置は、縦面部４２Ａの上端側に設定され、拭取位置は、縦面部４２Ａの下端側に設定される。ワイパ６２が左右方向Ｘに直線移動する場合、ワイパ６２は、縦長になった姿勢をとり、待機位置は、縦面部４２Ａの左端側および右端側の一方に設定され、拭取位置は、縦面部４２Ａの左端側および右端側の他方に設定される。
【００７０】
前述した実施形態では、乾燥フィルタ４２の縦面部４２Ａが循環路２０の取出口２０Ｄ側つまり上流側を向くように縦に配置されるが、縦面部４２Ａは、垂直方向に沿って配置されてもよいし、垂直方向に対して傾斜して配置されてもよい。
【００７１】
乾燥フィルタ４２の縦面部４２Ａから取り除かれた異物Ｔや、縦面部４２Ａに浴びせられた水は、前述した実施形態では、循環路２０の取出口２０Ｄから外槽３を経由して排水路５に向かう。これに代え、ダクト３０の本体３２の外壁３２Ｊにおいて縦面部４２Ａよりも下側Ｚ２の下端部に、逃がし穴３２Ｕ（図５参照）を設けて、排水路５において例えば排水フィルタ６よりも上流側の部分と逃がし穴３２Ｕとを流路１００によってつないでもよい。これにより、ダクト３０内の異物Ｔや水を、外槽３を経由させずに、逃がし穴３２Ｕおよび流路１００から排水路５に到達させることができる。これにより、洗濯槽7内の洗濯物Ｌに異物Ｔや水が付着することを防止できる。
【００７２】
洗濯乾燥機１では、排水フィルタ６が省略されてもよい。この場合には、各乾燥フィルタ４２で捕獲されて外槽３に流された異物Ｔは、外槽３の排水時に排水路５（図１参照）を通って機外に排出される。
【００７３】
前述したメンテナンス処理の一環として、制御部２４は、給水部５０から乾燥フィルタ４２への給水を停止した後に、送風部２１によって外槽３内の空気を循環させてもよい。これにより、異物Ｔの除去のために先ほど水が噴射されて濡れた乾燥フィルタ４２は、外槽３から循環路２０に流れ込む空気が浴びせられることによって乾燥する。なお、加熱部２２も作動することによって、熱風が循環してもよく、これにより、乾燥フィルタ４２の乾燥が促進される。このように使用者が乾燥フィルタ４２を乾燥させなくてもよいので、乾燥フィルタ４２に関するメンテナンス性の一層の向上を図れる。
【００７４】
前述した実施形態におけるドラム式の洗濯乾燥機１では、軸線Ｊが水平方向Ｈに傾斜するように洗濯槽７が配置されてもよい。また、洗濯乾燥機１は、軸線Ｊが縦に延びる縦型の洗濯乾燥機であってもよい。
【符号の説明】
【００７５】
１        洗濯乾燥機
２        筐体
３        外槽
５        排水路
７        洗濯槽
２０      循環路
２０Ｄ    取出口
２０Ｅ    戻し口
２１      送風部
２２      加熱部
２４      制御部
３０      ダクト
３２Ｕ    逃がし穴
４２      乾燥フィルタ
４２Ａ    縦面部
５０      給水部
６２      ワイパ
６３      アクチュエータ
１００    流路
Ｌ        洗濯物
Ｔ        異物
Ｚ１      上側
Ｚ２      下側
【図１】
2020168231.tif 000003
【図２】
2020168231.tif 000004
【図３】
2020168231.tif 000005
【図４】
2020168231.tif 000006
【図５】
2020168231.tif 000007
【図６】
2020168231.tif 000008